(57)【要約】  フラッシュランプを備える分光光度計を較正する方法。本方法は、分光計のモノクロメータが、横方向又は軸方向に整列した電極を有するショートアーク希ガスフラッシュランプであるフラッシュランプからの光を受けることと、受けた光を、選択された波長範囲の複数の波長のそれぞれの波長において漸進的に送信するようにモノクロメータを構成することであって、波長範囲はフラッシュランプの既知のスペクトルプロファイルによる波長特徴に関連し、波長特徴は自己吸収特徴である、構成することと、複数の波長のそれぞれの波長についての対応するパワー又は強度の値を含むフラッシュランプのスペクトルを決定することとを含む。本方法は、スペクトルを、フラッシュランプに関連し、自己吸収特徴に関連する１つ以上の波長を含む所定の参照スペクトルのセグメントと比較することによって、波長特徴について波長較正誤差値を決定することと、波長較正誤差値に基づいて分光光度計を較正することとを更に含む。【選択図】図４
2021522492.tif 000002
【特許請求の範囲】
【請求項１】
分光計のモノクロメータが、横方向又は軸方向に整列した電極を有するショートアーク希ガスフラッシュランプであるフラッシュランプからの光を受けることと、
前記受けた光を、選択された波長範囲の複数の波長のそれぞれの波長において漸進的に送信するように前記モノクロメータを構成することであって、ここで、前記波長範囲は前記フラッシュランプの既知のスペクトルプロファイルによる波長特徴に関連し、前記波長特徴は自己吸収特徴である、構成することと、
スペクトルが前記複数の波長のそれぞれの波長についての対応するパワー又は強度の値を含むように、前記フラッシュランプのスペクトルを決定することと、
前記フラッシュランプに関連する所定の参照スペクトルのセグメントと前記スペクトルを比較することによって、前記波長特徴について波長較正誤差値を決定することであって、ここで、前記所定の参照スペクトルの前記セグメントは前記自己吸収特徴に関連する１つ以上の波長を含むものである、決定することと、
前記波長較正誤差値に基づいて分光光度計を較正することと
を含む、フラッシュランプを備える分光光度計を較正する方法。
【請求項２】
前記波長範囲は、前記フラッシュランプの前記既知のスペクトルプロファイルからの前記自己吸収特徴に関連する波長を実質的に中心とするように選択される、請求項１に記載の方法。
【請求項３】
１つ以上の更なる波長較正誤差を決定することと、
前記第１の波長較正誤差値及び前記１つ以上の更なる波長較正誤差に基づいて前記分光光度計を較正することと
を更に含む、請求項１又は２に記載の方法。
【請求項４】
１つ以上の更なる波長較正誤差を決定することは、
選択された更なる波長範囲の更なる複数の波長のそれぞれの波長において漸進的に前記受信された光を送信するように前記モノクロメータを構成することであって、前記更なる波長範囲は前記フラッシュランプの既知のスペクトルプロファイルによる更なる波長特徴に関連するものである、構成することと、
前記更なる複数の波長のそれぞれの波長についての対応するパワー又は強度値を含む、前記フラッシュランプの更なるスペクトルを決定することと、
前記フラッシュランプに関連する所定の参照スペクトルの更なるセグメントと前記更なるスペクトルを比較することによって、前記更なる波長特徴について更なる波長較正誤差値を決定することであって、前記所定の参照スペクトルの前記更なるセグメントは前記更なる波長特徴に関連する１つ以上の波長を含むものである、決定することと
を含む、請求項３に記載の方法。
【請求項５】
前記更なる波長特徴は、（ｉ）更なる自己吸収特徴及び（ｉｉ）発光特徴のうちの１つ以上を含む、請求項４に記載の方法。
【請求項６】
複数の較正誤差値と関連する波長のペアを選択することであって、ここで、該複数のペアは、前記第１の波長較正誤差値及び前記１つ以上の更なる波長較正誤差のうちの少なくとも２つを含む、選択することと、
前記複数の較正誤差値と関連する波長のペアを最小２乗２次曲線に当てはめて、前記曲線の表現方程式についてのパラメータ値を決定することと、
前記決定されたパラメータ値を使用して前記表現方程式からある特定の波長について前記波長較正誤差値を決定することと
を更に含む、請求項３〜５のいずれか一項に記載の方法。
【請求項７】
前記表現方程式は、
δλ = Eλ2 + Fλ
であり、ここで、δλは波長較正誤差であり、λは関連する波長であり、Ｅ及びＦはパラメータ値である、請求項６に記載の方法。
【請求項８】
ある波長特徴について前記波長較正誤差値を決定することは、
前記決定されたスペクトルから複数のオフセットスペクトルを決定することであって、ここで、各オフセットスペクトルはある対応するオフセット値に関連する、決定することと、
前記複数のオフセットスペクトルのそれぞれと、前記所定の参照スペクトルの前記セグメントとの間の相関を示す複数の相関値を決定することと、
相関値と対応するオフセット値のペア（複数）の少なくともサブセットの表現相関曲線に対する最良当てはめを決定して、前記表現相関曲線について相関パラメータ値を決定することと、
前記決定された相関パラメータ値に基づいて波長特徴について前記波長較正誤差値を決定することと
を含む、請求項１〜７のいずれか一項に記載の方法。
【請求項９】
前記決定された相関値（複数）の最大相関値を決定し、オフセット値と相関値のペアの前記サブセットを前記最大相関値にセンタリングすることを更に含む、請求項８に記載の方法。
【請求項１０】
前記オフセットスペクトルは前記決定されたスペクトルのあるバージョンを含み、ここで、前記波長はオフセット値によってシフトされている、請求項８又９に記載の方法。
【請求項１１】
前記モノクロメータは、前記分光光度計の前記モノクロメータの少なくとも回折格子の回転角度を漸進的に変更することによって、光を前記複数の波長のそれぞれの波長で送信するように構成される、請求項１〜１０のいずれか一項に記載の方法。
【請求項１２】
前記分光光度計を較正することは、前記波長較正誤差値に基づいて回転角度調整値を決定し、前記回転角度調整値によって前記分光計の前記モノクロメータの前記回折格子の回転角度を調整することを含む、請求項１〜１１のいずれか一項に記載の方法。
【請求項１３】
前記フラッシュランプはキセノンガスを含む、請求項１〜１２のいずれか一項に記載の方法。
【請求項１４】
前記受けた光を、選択された波長範囲の複数の波長のそれぞれの波長において漸進的に送信するように前記モノクロメータを構成することは、比較的に高い分解能でスキャンするように前記モノクロメータを構成することを含む、請求項１〜１３のいずれか一項に記載の方法。
【請求項１５】
前記選択された範囲の複数の波長の少なくとも幾つかの波長は、約０．０５ｎｍ〜約０．５ｎｍの範囲内の波長で離間する、請求項１〜１４のいずれか一項に記載の方法。
【請求項１６】
フラッシュランプを備える分光光度計を較正する方法であって、
分光計のモノクロメータが、横方向又は軸方向に整列した電極を有するショートアーク希ガスフラッシュランプであるフラッシュランプからの光を受けることと、
前記受けた光を、選択された波長範囲の複数の波長のそれぞれの波長において漸進的に送信するように前記モノクロメータを構成することであって、ここで、前記波長範囲は前記フラッシュランプの既知のスペクトルプロファイルによる波長特徴に関連し、前記波長特徴は自己吸収特徴である、構成することと、
前記複数の波長のそれぞれの波長についての対応するパワー又は強度の値を含むものである、前記フラッシュランプのスペクトルを決定することと、
前記決定されたスペクトルの前記自己吸収特徴を反転ピークとして考慮することと、
前記反転ピークのピーク中心を評価することと、
前記評価されたピーク中心に基づいて前記分光光度計を較正することと
を含む、方法。
【請求項１７】
横方向又は軸方向に整列した電極を有するショートアーク希ガスフラッシュランプと、
前記フラッシュランプから光を受け、或る波長範囲からの複数の選択された波長のそれぞれの波長において漸進的に光を送信するように配置されたモノクロメータと、
前記第１の複数の選択された波長のそれぞれの波長についての対応する強度値を検出するように配置された検出器と、
プロセッサ及び記憶媒体を備えるコンピューティングデバイスと
を備え、前記プロセッサは、請求項１〜１６のいずれか一項に記載の方法を分光光度計に実施するための、前記記憶媒体上に記憶された命令を実行するように構成されている、分光光度計。
【発明の詳細な説明】
【技術分野】
【０００１】
本開示は、包括的に、分光光度計較正方法及びシステムに関する。
【０００２】
［関連出願の相互参照］
本出願は、２０１８年４月２４日に出願された「Spectrophotometer calibration methods and systems」という名称のオーストラリア仮特許出願第２０１８９０１３６１号からの優先権を主張し、その全体の内容は、引用することにより本明細書の一部をなすものとする。
【０００３】
本出願は、２０１８年１０月３１日に出願された「An optical apparatus having independent grating drives」という名称のオーストラリア仮特許出願第２０１８９０４１３９号からの優先権を更に主張し、その全体の内容は、同様に引用することにより本明細書の一部をなすものとする。
【背景技術】
【０００４】
分光光度計は、関心の材料又は物質（例えば、分子、元素、又は化合物）、すなわち分析物質（analyte）の存在を特定する又はその濃度を決定する試料の分析のために使用される機器である。分光光度計は、紫外（ＵＶ）、可視、又は赤外（ＩＲ）範囲内の光の形態の電磁エネルギーを発生源から試料に向けるように構成される。例えば、ＵＶ−可視分光法の方法は、試料をＵＶ−可視範囲の光に曝露する。試料との相互作用に続く結果として得られる光の特性（例えば、試料によって、透過された、吸収された、散乱された、又は放射された光強度及び／又は光の波長）を測定することによって、分析物質のタイプ又は分析物質の量を評価することができる。例えば、試料に関連する光学吸収量を、分析物質濃度に関連させることができる。
【０００５】
フラッシュランプは、フラッシュランプが、通常、一様に明るくかつスペクトル的に広い発光をするため、分光法を実施するための光源としてしばしば使用される。フラッシュランプは、電気アークを生成するために電流パルスがそこを通して流される、ガスのエンベロープ内に収容される一対又はペアの対向する放電電極を備える、ガス充填式電気アークランプの一タイプである。電気放電期間中、アークの体積の内部のガスは、加熱され、イオン化されて、プラズマを生成する。アークから放射される光は、励起された原子及びイオンからの離散的放射と電極間のホットプラズマからの広帯域放射との混合物である。
【０００６】
分光光度計は、一般に、正確な波長及びスペクトル帯域幅測定値を確実に得るために較正を必要とする。一般に、分光光度計で日常的に使用される光源と異なる光源が、較正のために使用される。例えば、水銀アークランプは、それが生成する輝線の数及び明瞭さのために、較正のために時として使用される。
【発明の概要】
【０００７】
幾つかの実施の形態は、フラッシュランプを備える分光光度計を較正する方法に関し、該方法は、分光計のモノクロメータが、横方向又は軸方向に整列した電極を有するショートアーク希ガスフラッシュランプであるフラッシュランプからの光を受けることと、前記受けた光を、選択された波長範囲の複数の波長のそれぞれの波長において漸進的に送信するように前記モノクロメータを構成することであって、ここで、前記波長範囲は前記フラッシュランプの既知のスペクトルプロファイルによる波長特徴に関連し、前記波長特徴は自己吸収特徴である、構成することと、スペクトルが前記複数の波長のそれぞれの波長についての対応するパワー又は強度の値を含むように、前記フラッシュランプのスペクトルを決定することと、前記フラッシュランプに関連する所定の参照スペクトルのセグメントと前記スペクトルを比較することによって、前記波長特徴について波長較正誤差値を決定することであって、ここで、前記所定の参照スペクトルの前記セグメントは前記自己吸収特徴に関連する１つ以上の波長を含むものである、決定することと、前記波長較正誤差値に基づいて分光光度計を較正することとを含む。
【０００８】
前記波長範囲は、前記フラッシュランプの前記既知のスペクトルプロファイルからの前記自己吸収特徴に関連する波長を実質的に中心とするように選択することができる。
【０００９】
幾つかの実施の形態では、方法は、１つ以上の更なる波長較正誤差を決定することと、前記第１の波長較正誤差値及び前記１つ以上の更なる波長較正誤差に基づいて前記分光光度計を較正することとを更に含む。１つ以上の更なる波長較正誤差を決定することは、選択された更なる波長範囲の更なる複数の波長のそれぞれの波長において漸進的に前記受信された光を送信するように前記モノクロメータを構成することであって、前記更なる波長範囲は前記フラッシュランプの既知のスペクトルプロファイルによる更なる波長特徴に関連するものである、構成することと、前記更なる複数の波長のそれぞれの波長についての対応するパワー又は強度値を含む、前記フラッシュランプの更なるスペクトルを決定することと、前記フラッシュランプに関連する所定の参照スペクトルの更なるセグメントと前記更なるスペクトルを比較することによって、前記更なる波長特徴について更なる波長較正誤差値を決定することであって、前記所定の参照スペクトルの前記更なるセグメントは前記更なる波長特徴に関連する１つ以上の波長を含むものである、決定することとを含むことができる。例えば、前記更なる波長特徴は、（ｉ）更なる自己吸収特徴及び（ｉｉ）発光特徴のうちの１つ以上を含むことができる。
【００１０】
幾つかの実施の形態では、前記方法は、複数の較正誤差値と関連する波長のペアを選択することであって、ここで、該複数のペアは、前記第１の波長較正誤差値及び前記１つ以上の更なる波長較正誤差のうちの少なくとも２つを含む、選択することと、前記複数の較正誤差値と関連する波長のペアを最小２乗２次曲線に当てはめて、前記曲線の表現方程式についてのパラメータ値を決定することと、前記決定されたパラメータ値を使用して前記表現方程式からある特定の波長について前記波長較正誤差値を決定することとを更に含む。
【００１１】
例えば、前記表現方程式は、δλ＝Ｅλ２＋Ｆλとすることができ、式中、δλは波長較正誤差であり、λは関連する波長であり、Ｅ及びＦはパラメータ値である。
【００１２】
幾つかの実施の形態では、ある波長特徴について前記波長較正誤差値を決定することは、前記決定されたスペクトルから複数のオフセットスペクトルを決定することであって、ここで、各オフセットスペクトルはある対応するオフセット値に関連する、決定することと、前記複数のオフセットスペクトルのそれぞれと、前記所定の参照スペクトルの前記セグメントとの間の相関を示す複数の相関値を決定することと、相関値と対応するオフセット値のペア（複数）の少なくともサブセットの表現相関曲線に対する最良当てはめを決定して、前記表現相関曲線について相関パラメータ値を決定することと、前記決定された相関パラメータ値に基づいて波長特徴について前記波長較正誤差値を決定することとを含む。
【００１３】
幾つかの実施の形態では、前記方法は、前記決定された相関値（複数）の最大相関値を決定し、オフセット値と相関値のペアの前記サブセットを前記最大相関値にセンタリングすることを更に含む。前記オフセットスペクトルは前記決定されたスペクトルのあるバージョンを含み、ここで、前記波長はオフセット値によってシフトされている。
【００１４】
幾つかの実施の形態では、前記モノクロメータは、前記分光光度計の前記モノクロメータの少なくとも回折格子の回転角度を漸進的に変更することによって、光を前記複数の波長のそれぞれの波長で送信するように構成される。
【００１５】
幾つかの実施の形態では、前記分光光度計を較正することは、前記波長較正誤差値に基づいて回転角度調整値を決定し、前記回転角度調整値によって前記分光計の前記モノクロメータの前記回折格子の回転角度を調整することを含む。
【００１６】
幾つかの実施の形態では、前記フラッシュランプはキセノンガスを含む。
【００１７】
幾つかの実施の形態では、前記受けた光を、選択された波長範囲の複数の波長のそれぞれの波長において漸進的に送信するように前記モノクロメータを構成することは、比較的に高い分解能でスキャンするように前記モノクロメータを構成することを含む。例えば、前記選択された範囲の複数の波長の少なくとも幾つかの波長は、約０．０５ｎｍ〜約０．５ｎｍの範囲内の波長で離間することができる。
【００１８】
幾つかの実施の形態は、フラッシュランプを備える分光光度計を較正する方法に関し、該方法は、分光計のモノクロメータが、横方向又は軸方向に整列した電極を有するショートアーク希ガスフラッシュランプであるフラッシュランプからの光を受けることと、前記受けた光を、選択された波長範囲の複数の波長のそれぞれの波長において漸進的に送信するように前記モノクロメータを構成することであって、ここで、前記波長範囲は前記フラッシュランプの既知のスペクトルプロファイルによる波長特徴に関連し、前記波長特徴は自己吸収特徴である、構成することと、前記複数の波長のそれぞれの波長についての対応するパワー又は強度の値を含むものである、前記フラッシュランプのスペクトルを決定することと、前記決定されたスペクトルの前記自己吸収特徴を反転ピークとして考慮することと、前記反転ピークのピーク中心を評価することと、前記評価されたピーク中心に基づいて前記分光光度計を較正することとを含む。
【００１９】
幾つかの実施の形態は、分光光度計に関し、該分光光度計は、横方向又は軸方向に整列した電極を有するショートアーク希ガスフラッシュランプと、前記フラッシュランプから光を受け、或る波長範囲からの複数の選択された波長のそれぞれの波長において漸進的に光を送信するように配置されたモノクロメータと、前記第１の複数の選択された波長のそれぞれの波長についての対応する強度値を検出するように配置された検出器と、プロセッサ及び記憶媒体を備えるコンピューティングデバイスとを備え、前記プロセッサは、請求項１〜１６のいずれか一項に記載の方法を分光光度計に実施するための、前記記憶媒体上に記憶された命令を実行するように構成されている。
【００２０】
本明細書全体を通して、用語「備える（comprise）」又は「備える（comprises）」若しくは「備えている（comprising）」等の変形は、述べた要素、完全体、若しくはステップ、又は、要素、完全体、若しくはステップの群の包含を示唆するが、任意の他の要素、完全体、若しくはステップ、又は、要素、完全体、若しくはステップの群の排除を示唆しないと理解されるであろう。
【００２１】
本明細書に含まれている文書、行為、材料、デバイス、商品等のいずれの論述も、これらの事物の任意のもの又は全てが、従来技術のベースの一部を形成する、本出願の各請求項の優先日以前に存在するため、本開示に関連する分野において共通の一般的な知識であった、又は、理解されている可能性がある、関連すると見なされている可能性がある、若しくは、当業者によって組み合わされていると合理的に予想される可能性がある、ことの承認としては解釈されない。
【００２２】
実施形態は、以下で簡潔に述べる添付図面を参照して、例として以下でより詳細に述べられる。
【図面の簡単な説明】
【００２３】
【図１】分光光度計のブロック図である。
【図２】幾つかの実施形態による、図１の分光光度計のモノクロメータの概略図である。
【図３】キセノン充填式電気アークフラッシュランプの強度スペクトルのプロットである。
【図４】図３のスペクトルから選択された比較的狭い波長範囲の高分解能強度スペクトルのプロットである。
【図５Ａ】幾つかの実施形態による、図１の分光光度計を較正する方法のプロセスフロー図である。
【図５Ｂ】幾つかの実施形態による、図１の分光光度計を較正する方法のプロセスフロー図の図５Ａの続きである。
【図６】幾つかの実施形態による、図５の方法のための波長較正誤差値を決定する方法のプロセスフロー図である。
【図７Ａ】強度に対する、公称波長の参照スペクトル上にプロットされた特徴波長のソーススペクトルに対応する参照スペクトルの例示的なセグメント、及び、公称角度位置を中心とする角度変位にわたって回折格子等の分散要素によって回折した実際の波長についての測定された光強度値の対応するセグメントを示す複数線グラフである。
【図７Ｂ】図７Ａと同様の、参照スペクトルの更なる例示的なセグメント、及び、ソーススペクトルの異なる特徴波長についてのスキャンされたスペクトルの対応するセグメントを示す複数線グラフである。
【図７Ｃ】図７Ａと同様の、参照スペクトルの更なる例示的なセグメント、及び、ソーススペクトルの異なる特徴波長についてのスキャンされたスペクトルの対応するセグメントを示す複数線グラフである。
【図８】スキャンされたスペクトルと参照スペクトルとの間の種々の波長における測定された波長誤差（δλ）を示す散布図であり、散布図についての最良当てはめ曲線を提供する線グラフを更に示す。
【図９】所与の波長を中心とする波長帯域にわたる予想される光強度スペクトルと、適用されたオフセットλｏｆｆｓｅｔを有する対応する波長を中心とする波長帯域にわたる測定された光強度スペクトルとの間の相関値「Ｋ」を示す散布図であり、散布図についての最良当てはめ曲線を提供する線グラフを更に示す。
【図１０Ａ】図７Ａに示す特徴波長スペクトルセグメントについての予想されるオフセット値の範囲に対応する相関値「Ｋ」を示す線グラフである。
【図１０Ｂ】図７Ｂに示す特徴波長スペクトルセグメントについての予想されるオフセット値の範囲に対応する相関値「Ｋ」を示す線グラフである。
【図１０Ｃ】図７Ｃに示す特徴波長スペクトルセグメントについての予想されるオフセット値の範囲に対応する相関値「Ｋ」を示す線グラフである。
【発明を実施するための形態】
【００２４】
記述される実施形態は、フラッシュランプを使用して分光光度計を較正する方法に関する。輝線（emission lines）を示すことに加えて、フラッシュランプの出力スペクトルプロファイルが自己吸収特徴（ノッチ）も示すことが本発明者によって認識された。これらの自己吸収特徴は、フラッシュランプ内のガスの原子の低いエネルギーレベルに起因し、吸収を担うガスが発光を担うガスよりずっと冷たいため、吸収線は、比較的狭く、フラッシュランプの発光プロファイル内に位置する。特定のガスを含むフラッシュランプは既知のスペクトルプロファイルを有するため、フラッシュランプの発光プロファイル、特に、輝線の吸収特徴と、その特定のタイプのフラッシュランプについての既知のスペクトルプロファイルとの比較によって、分光光度計を較正することができる。
【００２５】
分光光度計を較正するためにフラッシュランプを使用することによって、分光法を実施するために使用されるのと異なる光源（例えば、よく知られているスペクトル位置において狭いスペクトル発光特徴を発光する光源）が分光光度計の較正のために使用される必要性がなくなる。フラッシュランプのスペクトルプロファイル又は測定されたスペクトルと、所定の参照スペクトルのセグメントとの比較を実施することに加えて、代替の手法は、フラッシュランプの自己吸収特徴／ノッチを反転ピークとして考慮し、ピーク中心を更に評価することができる。そのような手法は、望ましくは、比較するための以前に特定された又は記憶された参照スペクトルセグメントを必要とするのではなく、代わりに、スペクトル評価においてフラッシュランプの自己吸収特徴／ノッチ波長の知識を利用する。
【００２６】
図１を参照すると、分光光度計１００が示され、分光光度計１００は、ガス充填式電気アークランプ等のフラッシュランプ１１０、モノクロメータ１２０、少なくとも１つの試料ホルダ１３０、及び少なくとも１つの検出器１４０を備える。試料ホルダ１３０は、試料セル（図示せず）を受け取り、固定場所に再現性よく位置決めするように構成される。試料セルは、分光光度計１００において分析される試料を受け取るように構成される。
【００２７】
フラッシュランプ１１０は、広帯域光等の光１５０を生成し、モノクロメータ１２０に提供するように構成される。モノクロメータ１２０は、光を構成波長に分散させ又は分割し、検出器１４０によって検出される実質的に単色の光１６０を試料ホルダ１３０に提供するように構成される。単色光１６０は、例えば、０．１ｎｍ〜５ｎｍの範囲内の比較的狭い帯域幅を有することができる。較正中、試料ホルダ１３０は、空のままにされる傾向があり、すなわち、試料は試料ホルダ１３０内に提供されない。
【００２８】
幾つかの実施形態では、分光光度計１００及び／又はモノクロメータ１２０はコンピューティングデバイス１７０によって制御することができる。コンピューティングデバイス１７０はプロセッサ１７２及び記憶媒体１７４を備えることができる。記憶媒体１７４は、ハードディスクドライブ又は固体メモリデバイス等の不揮発性記憶媒体とすることができる。プロセッサ１７２は、コンピューティングデバイス１７０に、検出器１４０によって検出される光１６０の強度を記録させるための、記憶媒体１７４に記憶された命令（プログラムコード）を実行するように構成することができる。プロセッサ１７２は、モノクロメータ１２０に、試料ホルダ１３０に提供される光の波長を変更させるための、記憶媒体１７４に記憶された命令（プログラムコード）を実行するように構成することができる。
【００２９】
プロセッサ１７２は、モノクロメータ１２０に、光を或る波長範囲内の複数の選択された波長のそれぞれの波長で、選択された波長を漸進的に変更（スキャン）することによって送信し、それぞれの選択された波長について検出器１４０で受信されるそれぞれの光強度又は光パワーを決定、検出、及び／又は測定させるよう、モノクロメータ１２０を漸進的に構成するための、記憶媒体１７４に記憶した命令（プログラムコード）を実行するように構成することができる。波長範囲は、フラッシュランプの既知のスペクトルプロファイルによる自己吸収特徴に関連する。幾つかの実施形態では、モノクロメータ１２０は、フラッシュランプ１１０のスペクトルプロファイルにおける自己吸収特徴のうちの１つ以上を正確に検出するために、比較的狭い波長範囲内（高分解能）でスキャンされる。
【００３０】
幾つかの実施形態では、モノクロメータ１２０は、例えば、コンピューティングデバイス１７０の記憶媒体１７４に記憶された又は外部データベースから取り出された較正パラメータに基づいて光を送信するように構成することができる。較正パラメータは、モノクロメータ１２０に適用されると、モノクロメータ１２０に、選択された（所定の）波長で光を送信させる、機器設定又は構成を含むことができる。例えば、機器設定は、モノクロメータ１２０内の、回折格子２０４（図２）等の光学要素の配向、回転角度、及び／又は位置に関するものとすることができる。
【００３１】
フラッシュランプ１１０は、比較的高い出力のフラッシュランプとすることができる。幾つかの実施形態では、フラッシュランプ１１０は、最大３００Ｈｚのレートで１パルス（フラッシュ）当たり最大約０．５Ｊのエネルギーを有するパルス光出力を生成することが可能である。フラッシュランプ１１０は、或る波長範囲にわたって光を生成することができる。幾つかの実施形態では、フラッシュランプ１１０は、約１９０ｎｍ〜約３３００ｎｍの選択された波長範囲にわたって光を生成するように構成することができる。フラッシュランプ１１０は、加圧されたキセノンガス内に収容された電極を備えるショートアークフラッシュランプとすることができる。例えば、フラッシュランプ１１０は、Excelitas Technologies社が生産するような、１１００シリーズＦＸ−１１６０ショートアークフラッシュランプ又はHamamatsu社が生産する同様のフラッシュランプを含むことができる。
【００３２】
分光光度計１００は、分光光度計１００内の温度を測定するための、プロセッサ１７２に接続された温度センサ（図示せず）を更に備えることができる。以下でより詳細に説明するように、幾つかの実施形態では、検知された温度は、分光光度計１００のための較正パラメータを決定するときに及び／又は分光光度計１００を較正するときに使用することができる。
【００３３】
図２を参照すると、幾つかの実施形態による分光光度計１００のモノクロメータ１２０が示される。示すように、モノクロメータ１２０は、第１のミラー（コリメーションミラー）２０２、波長分散要素（回折格子２０４等）、及び第２のミラー２０６を含む複数の光学要素を備えることができる。モノクロメータ１２０は、フラッシュランプ１１０からの光の較正及び／又はコリメーションを支援するために、フラッシュランプ１１０（図１）と回折格子２０４との間に入射スリット２１２も備えることができる。
【００３４】
モノクロメータ１２０は、光学要素のうちの１つ以上に結合された１つ以上のドライブコンポーネント２０５を更に備えることができる。１つ以上のドライブコンポーネント２０５は、１つ以上の光学要素の配向及び／又は回転角度を選択的に調整するように構成することができる。例えば、ドライブコンポーネント２０５は、回折格子２０４に結合するとともに、回折格子２０４の回転角度を選択的に調整するように構成することができる。ドライブコンポーネント２０５は、ステッパモータ又はＤＣサーボモータ等の直接ドライブコンポーネントを含むことができる。代替的に、ドライブコンポーネント２０５は、マイクロメータからのサインバー（レバーアーム）ドライブ又はピニオン及びセクタギア等の機械的リンケージを有する間接ドライブコンポーネントを含むことができる。
【００３５】
回折格子２０４の回転角度を調整することによって、モノクロメータ１２０は、光を異なる選択された波長で送信するように構成することができる。幾つかの実施形態では、プロセッサ１７４は、モノクロメータに、選択された波長で光を送信させるため、１つ以上の光学要素の回転角度を１つ以上のドライブコンポーネント２０５に調整させる命令を実行するように構成される。１つ以上の光学コンポーネントの選択されたそれぞれの回転角度について、関連する波長の光は分散され、各波長は、第２のミラー（集束ミラー）２０６によって焦点面２０８の異なる場所に集束される。
【００３６】
幾つかの実施形態では、プロセッサ１７２は、等間隔に配置された波長増分に対応することができる、１つ以上の光学要素についての回転角度のセットを選択し、それにより、等間隔に配置された光の波長の範囲を選択するように構成することができる。焦点面の光を検出器１４０によって検出することによって、１つ以上の光学要素の回転角度の漸進的な変更は、検出される光の波長の漸進的な変更をもたらす。したがって、或る波長範囲にわたって、選択された波長にそれぞれが対応する複数の検出された光強度は、スキャンされた光強度スペクトルを決定又は測定するために、例えば、記憶媒体１７４に記録することができる。
【００３７】
幾つかの実施形態では、回折格子２０４の回転角度（θｍ）は、以下の回折格子の方程式（grating equation）に従って、選択された波長（λ）に関係付けられる。
d.sin(θm) = m.λ
式中、ｄは回折格子２０４の回折素子（diffracting element）間の間隔であり、ｍは回折次数に関連する整数である。
【００３８】
幾つかの実施形態では、モノクロメータ１２０は、実質的に単色の光を送信するために、焦点面２０８に位置する又は焦点面２０８に隣接する出口アパーチャ２１０を更に備える。例えば、光は、０．１ｎｍ〜５ｎｍの範囲内とすることができる比較的狭い帯域幅で送信することができる。出口アパーチャ２１０は調整可能とすることができる。例えば、出口アパーチャ２１０は、送信される比較的狭い波長帯域幅を選択するためのスリット又はアイリスを含むことができる。モノクロメータは、調整可能とすることができる入口アパーチャ（図示せず）を更に備えることができる。例えば、入口アパーチャ（図示せず）は、送信される比較的狭い波長帯域幅を選択するためのスリット又はアイリスを含むことができる。
【００３９】
図３を参照すると、キセノン充填式フラッシュランプの強度スペクトル３００の一例が示される。スペクトル３００は、光源として使用するためのキセノン充填式フラッシュランプ１１０及び空の試料ホルダ１３０を装備する分光光度計１００を使用して得られる出力スペクトルとすることができる。
【００４０】
スペクトル３００は、複数の離散的放射ピーク３０３及び広帯域連続放射バックグラウンドを含む。離散的放射ピーク３０３は、原子ガスの離散的エネルギーレベル間の遷移から生じ、また、比較的低いプラズマ温度及び圧力における比較的急峻な強度特徴とすることができる。広帯域連続放射は、フラッシュランプ１１０の電気アーク内の加熱されたプラズマから生じる。離散的放射ピーク３０３は、フラッシュランプ１１０内のガスの特徴である。キセノン等の既知のガスを有するフラッシュランプ１１０の場合、複数の放射ピークが、所定でかつよく知られている対応する波長に存在するであろう。原理上、得られるスペクトル３００内の放射ピーク３０３に対応する波長を、文献、例えば、米国国立標準技術研究所（ＮＩＳＴ：National Institute of Standards and Technology）原子スペクトルデータベース（https://physics.nist.gov/asd）において公表されているような特徴的な放射ピークの所定の波長と比較することによって、分光光度計１００を較正することができる。幾つかの事例では、電気アーク及び高い放電温度によって誘起されるピーク幅広化及びシフトにより、較正プロシージャにおけるその使用に対して不確実性が付加される場合がある。そのため、幾つかの実施形態では、測定されたスペクトルを、低圧光源から得られるスペクトルと比較して、どのピークがシフトし、また、どれだけシフトしたかを特定することができる。較正方法は、以下で更に詳細に述べられる。
【００４１】
図３は、広い波長範囲３０２と比べて狭い波長範囲である比較的狭い波長範囲３０４も示す。図３に示すように、狭い波長範囲３０４は広い範囲３０２内の波長のサブセットとすることができる。しかしながら、幾つかの実施形態では、狭い範囲３０４は、広い範囲３０２内にない少なくとも幾つかの波長を含むことができる。幾つかの実施形態では、狭い波長範囲３０４は約９７４ｎｍ〜約９８６ｎｍの波長を含むことができる。幾つかの実施形態では、広い波長範囲３０２は約１９０ｎｍ〜約３３００ｎｍの波長を含むことができる。幾つかの実施形態では、広い波長範囲３０２は約１９０ｎｍ〜約２５００ｎｍの波長を含むことができる。幾つかの実施形態では、広い波長範囲３０２は約１９０ｎｍ〜約１１００ｎｍの波長を含むことができる。
【００４２】
図４を参照すると、比較的狭い波長範囲３０４にわたる、強度スペクトル３００の拡大図であるスペクトル４００が示される。
【００４３】
示されるように、強度スペクトル４００は、対応する所定の波長（特徴波長）において自己吸収特徴４０２を含む。自己吸収特徴４０２は、幅が拡大化した放射ピーク３０３にわたって重ね合わされた強度の狭いトラフとしてスペクトル３００に現れる。例えば、フラッシュランプ１１０内の電気アークによって加熱されるホットガスの体積の周りのより冷却したガスのエンベロープを形成するガスが存在する場合があり、自己吸収特徴４０２は、フラッシュランプ１１０内のホットガスからの発光の一部がホットガスを囲むより冷却したガスによって吸収される結果として存在する場合がある。自己吸収につながる光吸収は、上述した発光に対する反転プロセスであり、フラッシュランプ１１０内のガスのエネルギーレベル間の電子遷移によるものとすることもできる。
【００４４】
自己吸収特徴は、Ｘｅの第１励起状態に起因する遷移において主に見られる。Ｘｅ原子のこの低い励起状態は、量子力学（Quantum Mechanics）による基底状態（ground state）に放射結合しない。低い励起状態は準安定状態とすることができる。放電によってＸｅ原子に付与されるエネルギーは、Ｘｅ原子の一部をこの準安定状態のままにする。放電の周辺部の周りの準安定の第１励起状態のこれらのＸｅ原子は、この自己吸収効果を生じる。アークの残りの部分よりずっと低い温度にある放電の周辺部の周りのこれらの準安定状態のＸｅ原子は、アークからの放射帯域幅より狭い吸収帯域幅にわたって、かつ、受容される公表された値により近い輝線中心波長において、放電からの光を吸収する。そのため、自己吸収特徴は、以下でより詳細に論じるように分光光度計を較正するために使用することができる。
【００４５】
これらの特徴は、電気アークフラッシュランプ放電において使用される全ての原子種に必ずしも共通であるわけではなく、関与する原子の低いエネルギー状態の構成に依存するであろう。しかしながら、横方向又は軸方向に整列した電極を有する任意のショートアーク希ガスフラッシュランプが適することになる。希ガスは、通常、フラッシュランプにおいて使用される。なぜならば、希ガスは、不活性であり、ランプのための最長寿命を提供する傾向があるためである。上記で述べた原子Ｘｅの第１励起状態に起因する遷移のために、Ｘｅは、適した原子種であり、比較的低い圧力で良好な効率を更に提供する。アルゴン及びクリプトンも使用することができる。幾つかの実施形態では、混合ガス連続ショートアークハイパワーランプを使用することができる。
【００４６】
図４に示すように、自己吸収特徴４０２のスペクトル帯域幅４０７は、自己吸収特徴４０２がその上に重ね合わされる放射ピーク３０３の帯域幅４０８より狭い。
【００４７】
分光光度計１００を較正するための方法が例示的なスペクトル３００、４００を参照して述べられるが、方法は、特定の例示的なスペクトル３００、４００に関する較正に制限されることを意図されず、例証的かつ記述的な目的のためにスペクトル３００、４００に対して参照が行われるだけである。
【００４８】
図５を参照すると、幾つかの実施形態による、フラッシュランプ１１０を備える分光光度計１００を較正する方法５００のためのプロセスフロー図が示される。プロセッサ１７２は、方法５００を実施するための、記憶媒体１７４に記憶された命令（プログラムコード）を実行するように構成することができる。
【００４９】
既知のガスを含むフラッシュランプ１１０から放射される光１５０は、５０２にて、光学的分光光度計１００のモノクロメータ１２０において受信される。
【００５０】
モノクロメータ１２０は、５０４にて、光１５０の選択された波長範囲内の又はその波長範囲に及ぶ複数の波長のそれぞれにおいて光１６０を漸進的に送信するようにさせられる又は構成される。波長範囲は自己吸収波長特徴４０２に関連する。幾つかの実施形態では、モノクロメータは、回折格子２０４のうちの少なくとも１つの回折格子の配向（回転角度、θ）を漸進的に変更することによって、複数の波長のそれぞれにおいて光を送信するように構成される。上記で説明したように、プロセッサ１７２は、モノクロメータ１２０に、送信される光１６０の波長を漸進的に変更するため、複数の波長のそれぞれを選択させるための、記憶媒体１７４に記憶された命令（プログラムコード）を実行するように構成することができる。
【００５１】
選択された波長範囲は、フラッシュランプ１１０のガスのタイプに特徴的であるフラッシュランプ１１０の既知のスペクトルプロファイルによる自己吸収特徴４０２に関連する。例えば、キセノン充填式フラッシュランプの場合、対応する自己吸収特徴を有する波長が、例えば、８２３ｎｍ、８４０ｎｍ、８８１ｎｍ、９０４ｎｍ、及び９８０ｎｍの任意のうちの１つ以上とすることができることが知られている。しかしながら、キセノン充填式フラッシュランプの場合、他の波長が、対応する自己吸収特徴を有することもできることが認識されるであろう。波長範囲は、フラッシュランプの既知のスペクトルプロファイルからの自己吸収特徴に関連する波長を実質的に中心とするように選択することができる。
【００５２】
選択された波長範囲は、フラッシュランプ１１０から受信される光１５０の比較的広い波長範囲３０２から選択された比較的狭い波長範囲３０４とすることができる。例えば、キセノン充填式フラッシュランプの場合、比較的狭い波長範囲３０４は、９７６ｎｍ〜約９８４ｎｍを含むことができる。幾つかの実施形態では、選択された範囲の複数の波長の少なくとも幾つかは、約０．０５ｎｍ〜約０．５ｎｍの範囲内の波長で離間して、十分に高い分解能での１つ以上の吸収特徴の検出を可能にし、また例えば、幾つかの実施形態では、自己吸収特徴の半値全幅（ＦＷＨＭ：full width half maximum）の決定を支援する。幾つかの実施形態では、波長範囲に及ぶ複数の波長は、約０．５ｎｍ〜約１５ｎｍの範囲内の間隔によって変化する。
【００５３】
例えば、スペクトル４００等のフラッシュランプのスペクトル又は部分スペクトルは、５０６にて、スキャン又は決定される。例えば、スペクトルは、選択された波長範囲の複数の波長のそれぞれに対応するパワー又は強度値を決定することによって決定することができる。幾つかの実施形態では、コンピューティングデバイス１７０のプロセッサ１７２は、複数の選択された波長のそれぞれについて検出器１４０で検出された光１６０のパワー又は強度値を示すデータを得る命令を実行するように構成することができる。決定されたスペクトルは、比較的狭い波長範囲３０４にわたる（に及ぶ）、検出光のパワー又は強度値を示すものとすることができる。データは、コンピューティングデバイス１７０の記憶デバイス上に又は記憶媒体１７４内に記録することができる。
【００５４】
波長較正誤差値は、５０８にて、決定されたスペクトル４００を、フラッシュランプ１１０に関連する所定の参照スペクトル（図示せず）のセグメントと比較することによって決定される。
【００５５】
図７Ａ〜図７Ｃのそれぞれは、強度に対する、公称波長の参照スペクトル上にプロットされた特徴波長のソーススペクトルに対応する参照スペクトルの例示的なセグメント、及び、公称角度位置を中心とする角度変位にわたる第２の格子によって回折した実際の波長についての測定された光強度値の対応するセグメントを示す。
【００５６】
参照スペクトルのセグメントは、選択された波長範囲を含む又は少なくともそれと重なる波長範囲に及ぶことができる。所定の参照スペクトル又は所定の参照スペクトルのセグメントは、例えば、コンピューティングデバイス１７０の不揮発性記憶媒体１７４上に記憶することもできるし、遠隔ストレージから取り出すこともできる。所定の参照スペクトル又は所定の参照スペクトルのセグメントは、選択された範囲内の複数の波長のそれぞれについて強度／パワー値を測定し、ＮＩＳＴ原子スペクトルデータベースに記録された文書化された輝線／吸収線等の、正確な公表データを使用して波長特徴（ノッチ及びピーク）の波長位置を補正するために測定値をリサンプリング／補間することによって、決定されているものとすることができる。幾つかの実施形態では、所定の参照スペクトルのセグメントは、キセノン充填式ショートアークフラッシュランプについての自己吸収特徴を含むスペクトルに対応する。例えば、所定の参照スペクトルは、キセノンガスについて約８８１．９ｎｍ又は９８０．１ｎｍに自己吸収特徴４０２を含むことができる（例えば、図７Ｃ参照）。幾つかの実施形態による波長較正誤差値を決定する方法６００は、図６のプロセスフロー図に示される。プロセッサ１７２は、方法６００を実施するための、記憶媒体１７４に記憶された命令（プログラムコード）を実行するように構成することができる。
【００５７】
初期オフセット値は、６０２にて決定される。オフセット値は、決定された波長が、所定の参照スペクトルの波長の左又は右にシフトする量を示すものとすることができる。初期オフセット値は、決定されたスペクトルの波長が、所定の参照スペクトルから偏移する量の最良推定とすることができる。幾つかの実施形態では、初期オフセット値及びエンドオフセット値並びにオフセット増分量を含むオフセット値範囲が決定される。初期オフセット値からエンドオフセット値までの範囲にわたってスペクトルマッチングプロセスを実施することによって、その範囲内のオフセット値を決定することができ、そのオフセット値において、オフセットスペクトル及び参照スペクトルが、「一致する（match）」（すなわち、最も高く相関する）と言われることができることが予想される。
【００５８】
初期オフセット値は、予想される最悪の場合の波長偏移より大きさがほんの少し大きくなるように設定される。幾つかの実施形態では、初期オフセット値は、分光光度計を構築するために使用されるコンポーネントの公差からの最悪の場合の予想誤差、並びに、分光光度計及びこれらのコンポーネントのアライメントからの最悪の場合の予想誤差を合計し、そこから、未較正分光光度計についての最悪の場合の波長誤差を計算することによって、決定することができる。例えば、ドライブコンポーネント２０５の角度精度、回折格子２０４のルーリングの精度、及び機械的公差の分光光度計の組み合わせた動作温度範囲にわたる積み重ねが、未較正分光光度計が９８０ｎｍにおいて誤差が最大２ｎｍである可能性があることを示す場合、適した初期オフセット値は−２ｎｍとすることができ、適したエンドオフセット値は＋２ｎｍとすることができ、任意の分光光度計の実際の波長較正誤差がこの範囲内に位置しなければならないことを知る。
【００５９】
オフセットスペクトルは、６０４にて、決定されスキャンされたスペクトルから決定される。幾つかの実施形態では、オフセットスペクトルは、決定されスキャンされたスペクトルの波長を、初期又は現在オフセット値だけシフトすることによって決定される。例えば、図７Ａに示すように、測定されたスペクトル又は決定されスキャンされたスペクトル７０４は、参照スペクトル７０２からオフセット値だけオフセットする。測定されたスペクトルと参照スペクトルとの間の関係は、図７Ｂ及び図７Ｃに示す特徴波長について更に示される。
【００６０】
オフセットスペクトルと所定の参照スペクトルとの間の相関を示す相関値は、６０６にて決定される。幾つかの実施形態では、相関値は、ピアソン相関係数（Pearson correlation coefficient）等のオフセットスペクトルと所定の参照スペクトルとの間の線形相関の尺度である。幾つかの実施形態では、オフセット値及び関連する相関値は、相関リスト内で照合される。
【００６１】
１つの実施形態では、オフセットスペクトルと参照スペクトルとの間の相関値「Ｋ」は、ピアソン相関係数を使用して計算される。相関値「Ｋ」は−１〜１の値であり、値１は完全相関を示す。図１０Ａは、図７Ａに示す特徴波長スペクトルセグメントに対応する予想オフセット値の範囲−３．５ｎｍ＜λｏｆｆｓｅｔ＜３．５ｎｍについての相関値「Ｋ」のグラフである。図１０Ａに示すように、λｏｆｆｓｅｔ＝−３．５ｎｍにおける相関値はおよそ−０．１８４７である。
【００６２】
同様に、図１０Ｂは、図７Ｂに示す特徴波長スペクトルセグメントに対応する予想オフセット値の範囲についての相関値「Ｋ」を示し、図１０Ｃは、図７Ｃに示す特徴波長スペクトルセグメントに対応する予想オフセット値の範囲についての相関値「Ｋ」を示す。
【００６３】
例えば、現在オフセット値がエンドオフセット値より小さい場合に、十分な数の相関値が、６０８にて決定されていない場合、オフセット値は、６１０にてオフセット増分量だけ増分され、方法は、６０４に戻って、更なるオフセット値及び関連する相関値のペアを決定する。
【００６４】
例えば、現在オフセット値がエンドオフセット値より小さくない点で、十分な数の相関値が、６０８にて決定されている場合、複数のオフセット値及び相関値のペアは、６１２にて表現曲線に当てはめられる。例えば、表現曲線は、以下の方程式に基づく最小２乗２次曲線（least squares quadratic curve）及び図９に示す最小２乗２次曲線とすることができる。
【数１】
2021522492.tif 000003
【００６５】
幾つかの実施形態では、決定されたオフセット値及び相関値のペアのサブセットのみが、表現曲線に当てはめられる。幾つかの実施形態では、決定された相関値の最大相関値が特定され、オフセット値及び相関値のペアのサブセットは、最大相関値を中心とする。例えば、サブセットは、５つのオフセット値及び相関値のペアを含むことができ、２つは、オフセット値及び最大相関値のペアの両側にある。幾つかの実施形態では、最大相関値が、例えば０．９５等の閾値量より小さい場合、方法６００は、誤差がある状態で終了することができる。同様に、幾つかの実施形態では、オフセット値及び相関値のペアの最初の２つ又は最後の２つのいずれかが、特定された最大相関値を含む場合、方法６００は、誤差がある状態で終了することができる。
【００６６】
表現曲線についてのパラメータ値は、６１４にて、表現曲線に対するオフセット値及び相関値のペアの最良当てはめから決定される。例えば、決定されたパラメータは、上記２次方程式のＡ及びＢとすることができる。
【００６７】
波長偏移値は、６１６にて表現曲線についての方程式の決定されたパラメータから決定される。例えば、波長偏移値は、以下の方程式から決定することができる。
【数２】
2021522492.tif 000004
【００６８】
再び図５を参照すると、モノクロメータ１２０は、光１５０の選択された第２の又は更なる波長範囲内の又はその波長範囲に及ぶ第２の又は更なる複数の波長のそれぞれにおいて光１６０を漸進的に送信するようにさせられる又は構成される。第２の又は更なる波長範囲は、５１０にて、第２の若しくは更なる自己吸収特徴（図示せず）又は放射ピーク３０３等の更なる波長特徴に関連する。幾つかの実施形態では、モノクロメータ１２０は、回折格子２０４の配向（回転角度、θ）を漸進的に変更することによって、複数の波長のそれぞれにおいて光を送信するように構成される。上記で説明したように、プロセッサ１７２は、モノクロメータ１２０に、送信される光１６０の波長を漸進的に変更するため、複数の波長のそれぞれを選択させるための、記憶媒体１７４に記憶された命令（プログラムコード）を実行するように構成することができる。
【００６９】
選択された第２の又は更なる波長範囲は、フラッシュランプ１１０のガスのタイプの特徴であるフラッシュランプ１１０の既知のスペクトルプロファイルによる、第２の若しくは更なる自己吸収特徴又は放射ピーク３０３等の更なる波長特徴に関連する。選択された第２の波長範囲は、フラッシュランプ１１０から受信される光１５０の比較的広い波長範囲から選択された比較的狭い波長範囲とすることができる。選択された範囲３０４のサイズは、所定のスペクトル４００の特定の既知の波長特徴に依存することができる。例えば、広い波長特徴は広い波長範囲３０４を必要とする場合がある。幾つかの実施形態では、選択された範囲の第２の又は更なる複数の波長の少なくとも幾つかは、隣接する波長から約０．０５ｎｍ〜約０．５ｎｍに離間する。幾つかの実施形態では、波長範囲に及ぶ複数の波長は、約０．５ｎｍ〜約１５ｎｍの範囲内の間隔だけ変化する。
【００７０】
フラッシュランプの更なるスペクトルは、５１２にてスキャン又は決定される。幾つかの実施形態では、更なるスペクトルは、第２の又は更なる複数の波長のそれぞれについてパワー又は強度値を決定又は測定することによって決定される。例えば、コンピューティングデバイス１７０のプロセッサ１７２は、第２の又は更なる複数の選択された波長のそれぞれについて検出器１４０で検出された光１６０のパワー又は強度を示すデータを得る命令を実行するように構成することができる。例えば、第２の又は更なるスペクトルは、比較的狭い第２の波長範囲にわたる（に及ぶ）、検出光の強度を示すものとすることができる。データは、コンピューティングデバイス１７０の記憶デバイス上に又は記憶媒体１７４内に記録することができる。
【００７１】
更なる波長較正誤差値は、５１６にて、決定された更なるスペクトル４００を、フラッシュランプ１１０に関連する所定の参照スペクトル（図示せず）の関連セグメントと比較することによって決定される。
【００７２】
幾つかの実施形態では、十分な数の波長特徴についての波長較正誤差が決定されていない場合、方法５００は、５１０に戻って、更なる波長特徴についての波長較正誤差を決定する。十分な数の波長特徴（波長及び波長較正誤差のペア）についての波長較正誤差が決定されている場合、方法５００は５１８に進む。波長較正誤差の十分な数は、閾値より大きい数とすることができる。例えば、閾値は、分光光度計の設計及び／又は要件に依存することができる。
【００７３】
例えば、表現誤差曲線に当てはめるために使用される、必要な較正誤差値の数は、必要とされる較正精度、モデル化され補正される誤差の形態、及び／又はモデル化されない他の誤差源のサイズに依存することができる。幾つかの実施形態では、補正される主要な誤差は、分光光度計の格子回転軸を基準とするエンコーダパターンの機械的配置の偏心性に関連することができる。通常、このタイプの誤差の形態は、正弦波であるが、使用される角度範囲にわたって、単純な放物線で適切にモデル化することができる。そのような場合、補正を規定するのに、３つの較正誤差値で十分とすることができる。しかしながら、ランダム誤差源として扱うことができる、エンコーダ上の循環補間誤差における２次誤差源も存在し得る。ランプフラッシュノイズ及び／又は測定ノイズを、ランダム誤差源として扱うこともできる。幾つかの実施形態では、例えば、３つの較正誤差値からの比較的長い距離にある波長における何らかの過剰の誤差に寄与する、循環補間誤差、フラッシュランプノイズ、及び／又は測定ノイズから生じる非モデル化誤差を軽減するため、４つ以上の較正誤差値を、５１８にて表現曲線に当てはめるために決定することができる。例えば、幾つかの実施形態では、ゼロ次ピーク及び１１の更なる特徴波長が使用され、それらは、小さいランダム誤差から生じる当てはめられた放物線誤差及び限界誤差（limit error）を制限するため、比較的粗い均一な間隔で選択することができる。幾つかの実施形態では、従来のソフトウェアモデリング及びモンテカルロ（Monte-Carlo）シミュレーション処理は、適した数の波長特徴（波長及び波長較正誤差のペア）を決定するために使用することができる。
【００７４】
５０８及び５１４にて決定される波長及び波長較正誤差のペア（波長較正誤差リストとして照合することができる）は、図８に示す表現曲線に当てはめられる。幾つかの実施形態では、波長及び波長較正誤差のペアは、以下のようなゼロオフセットを有する最小２乗２次曲線に当てはめられる。
【数３】
2021522492.tif 000005
【００７５】
１つの実施形態では、配列（array）（λ，δλ）は、各特徴波長についての波長値λ及び特徴波長に関連する対応する波長偏移／差／誤差δλ（相関値）で埋められる。（０，０）オフセットを有する最小２乗２次曲線は、図８に示す（λ，δλ）の配列に当てはめられる。図８に示すように、散布図は配列（λ，δλ）の値を示し、線グラフは最良当てはめ曲線である。
【００７６】
Ｅ及びＦ等のパラメータ値は、５２０にて、波長及び波長較正誤差のペアに対する曲線の最良当てはめから決定される。パラメータ値を決定するための曲線当てはめは、誤差を最小にするためにパラメータ値を最適化することを含むことができる。
【００７７】
任意の特定の波長についての波長較正誤差値は、５２２にて、決定されたパラメータ値を使用する表現方程式から決定される。
【００７８】
回折格子２０４についての回転角度調整値は、５２４にて、波長較正誤差値に基づいて決定される。例えば、回転角度調整値は、上記で論じた回折格子の方程式を使用して決定することができる。幾つかの実施形態では、回転角度調整値は、分光光度計１００内の温度に更に依存することができる。例えば、回折格子２０４についての回転角度調整値は、分光光度計１００内に設けられる温度センサから決定される温度に更に基づくことができる。
【００７９】
モノクロメータの回折格子２０４の回転角度は、５２６にて、回転角度調整値によって調整され、それにより、モノクロメータに、較正された波長で光を送信させるよう分光計を較正する。例えば、コンピューティングデバイス１７０のプロセッサ１７２は、回転角度調整によってモノクロメータの回折格子２０４を調整する命令を実行するように構成することができる。
【００８０】
２重モノクロメータにおける上記較正方法の実装態様は、オーストラリア仮特許出願第２０１８９０４１３９号に記載される（その全体の内容は、引用することにより本明細書の一部をなすものとする）。オーストラリア仮特許出願第２０１８９０４１３９号の図３〜図１３ｃを参照して述べるように、モノクロメータのそれぞれは、それぞれのゼロ次角度を最初に決定することによって較正される。それぞれのゼロ次角度が決定されると、モノクロメータのそれぞれは、上記較正方法を使用して較正され、一方、他のモノクロメータはそのゼロ次位置に設定される。
【００８１】
幾つかの実施形態では、較正方法は、２つ以上の分散要素を含むモノクロメータを較正するために使用することもでき、各分散要素は、任意の適した構成で１つ以上の回折格子及び／又は１つ以上のプリズムを含むことができる。
【００８２】
上記の例示的な実施形態は、分光光度計を参照して述べられたが、較正方法が、望遠鏡、カラー測定機器、及び医療装置等の異なる光学装置内のモノクロメータを較正するために使用することもできることも当業者は同様に理解することになる。
【００８３】
本開示の広い全般的な範囲から逸脱することなく、上述した実施形態に対して多数の変形及び／又は修正を行うことができることが当業者によって認識されるであろう。したがって、本実施形態は、全ての点で、制限的でなく、例証的であると考えられる。
【図１】
2021522492.tif 000006
【図２】
2021522492.tif 000007
【図３】
2021522492.tif 000008
【図４】
2021522492.tif 000009
【図５Ａ】
2021522492.tif 000010
【図５Ｂ】
2021522492.tif 000011
【図６】
2021522492.tif 000012
【図７Ａ】
2021522492.tif 000013
【図７Ｂ】
2021522492.tif 000014
【図７Ｃ】
2021522492.tif 000015
【図８】
2021522492.tif 000016
【図９】
2021522492.tif 000017
【図１０Ａ】
2021522492.tif 000018
【図１０Ｂ】
2021522492.tif 000019
【図１０Ｃ】
2021522492.tif 000020
【国際調査報告】
2021522492.tif 000021
2021522492.tif 000022
2021522492.tif 000023